(57)【要約】      （修正有）【課題】人に安全であり、レンタル用としてマット本体の交換時の作業性に優れ、再使用の際のマット本体の使用回数の向上を図ったレンタル用玄関マットを提供する。【解決手段】レンタル用玄関マットは、靴その他の履物の底の泥などの汚れを除去するためのマットであり、マットベース２とマットベース２に設けた凹部３に嵌合するマット本体４から形成されており、靴その他の履物の底の泥などの汚れを除去するための輪状のパイル５を表面に有するマット本体４と、このマット本体４が汚れたときに自在に取り替えるための嵌合用の凹部３を上面に有するマットベース２とからなる。【選択図】図２
0003148823.tif 000002
【実用新案登録請求の範囲】
【請求項１】
履物の底の汚れを除去するマット本体とこのマット本体を取り替え自在に嵌合し得るマット本体大の凹部を上面に有するマットベースからなるレンタル用玄関マットにおいて、表面に輪状のパイルを植設した基布と該基布の裏面に設けた熱可塑性エラストマーもしくは弾性ゴム部材からなるバッキング材とバッキング材の裏面に少なくとも０．１ｍｍの深さの凹凸面とからマット本体を形成し、さらに凹部を有するマットベースをゴム部材から形成し、該マットベースの凹部には総面積で１５０ｃｍ2以上で、マットベースの面積の１０％以下で、基布裏面のバッキング材に対する垂直方向の引き剥がし力が５ｇ／ｃｍ〜５０ｇ／ｃｍで、かつ、バッキング材の裏面の所定箇所に配設されて基布の振動もしくは衝撃を吸収する粘着性弾性体を形成し、マットベースの凹部に形成の粘着性弾性体によりマット本体をマットベースに嵌合付着したことを特徴とするレンタル用玄関マット。
【請求項２】
バッキング材の裏面の所定箇所に配設されて基布の振動もしくは衝撃を吸収する粘着性弾性体は、硬さがショア硬さ２０〜８０で、表面の汚れによる粘着性の低下が表面の水拭きもしくは水洗いにより回復する素材で、かつ、マットベース上面の凹部に両面接着テープもしくは粘着剤により付着されていることを特徴とする請求項１に記載のレンタル用玄関マット。
【請求項３】
上記のレンタル用玄関マットは、マットベースに取り付けた粘着性弾性体に抗してマット本体を引き剥がす際の引き剥がし方向を示す表示がマット本体もしくはマットベースのいずれか一方もしくは両方の目視し得る表面に付され、かつ、マット本体とマットベースの粘着性弾性体との当接による付着部分の粘着性弾性体の幅方向の総延べ幅を２００ｍｍ未満として粘着性弾性体がマットベースに配置されていることを特徴とするレンタル用玄関マット。
【請求項４】
上記のレンタル用玄関マットは、マット本体の形状を矩形状とし、該マット本体を嵌合付着するマットベースの凹部の形状をマット本体大の矩形状とし、該マットベースの凹部の各辺の間にマット本体とマットベースの粘着弾性体との当接による付着部分の幅方向の総延べ幅を２００ｍｍ未満とした粘着性弾性体を配設し、該矩形状の凹部に付着したマット本体をマットベースから引き剥がす際にはマット本体の矩形状の４隅のうちのいずれの１隅からも引き剥がし可能としたことを特徴とするレンタル用玄関マット。
【請求項５】
上記のレンタル用玄関マットは、マット本体を嵌合付着するマットベースの凹部の深さをマット本体の基布およびバッキング材からなる厚さと同等以上の寸法からなる深さとしていることを特徴とするレンタル用玄関マット。
【請求項６】
上記のレンタル用玄関マットは、マットベースの凹部外周の枠部表面が外側斜下方向へ傾斜した傾斜面に形成されており、かつ、マット本体のパイルの外周端部が傾斜を有するようにカットされていることを特徴とするレンタル用玄関マット。
【考案の詳細な説明】
【技術分野】
【０００１】
この考案は、玄関あるいは入口に配置し、靴底その他の履物の底に付着した泥その他の汚れを除去するために、靴底その他の履物の底を拭い落とすための毛羽を植設したマット本体を、取り替え可能にマットベースに設けて、これらをレンタルとして業務用に貸し出すレンタル用玄関マットに関する。
【背景技術】
【０００２】
業務用のレンタル用玄関マットは、毛羽を植設した一体型のマットからなるものと、毛羽を植設したマット本体とこのマット本体を嵌め込み固着するためのマットベースとからなる分離型からなるものとがあり、業務用のレンタル形態は、この２種のものからなっている。ところで、上記の分離型の玄関用マットはマットベースを玄関あるいは入口に一度敷設すれば、このマットベースは半永久的に使用が可能であり、マット本体さえ入手できればマット本体を取り替えて使用できる。したがって、この分離型からなるものは一度敷設すると、その後はマット本体のみのコストを考慮すれば良く、したがって、一体型のマットと比較してコスト的に有利であり、さらにマット本体を洗浄して再使用するならば、より一層にコスト的に有利である。
【０００３】
ところで、分離型のマットベースとマット本体からなる玄関マットでは、マットベースにマット本体を固着する必要と、取り替えのために分離する必要がある。そこで、この固着および分離の着脱手段および方法が数多く開発されている。
【０００４】
その一つに、面ファスナーを用いてマット本体とマットベースを固定するものが提案されている（例えば、特許文献１ないし４参照。）。この面ファスナーにより固定するものは、マット本体およびマットベースに各々雌雄どちらかの面ファスナーを設けなければならない。このためにマット本体およびマットベースに対する取り付け力が問題となってくる。特にマット本体を洗浄して再利用する場合には、多数回の繰り返し洗浄に耐えうるように面ファスナーを固定する必要がある。したがって、マット本体がコスト高になってしまう。また、歩行者により踏みつけられたときに耐える素材でなければならず、おのずと使用回数が限定されたものとなっていた。
【０００５】
さらに、凹凸の組合せによる固定するものが提案されている（例えば、特許文献５ないし７参照。）。凹凸の組合せにおいては、マットベースおよびマット本体の製造時間が長時間要することと、凸部が硬くなりやすいためその上を歩く歩行者が違和感を覚える問題があった。
【０００６】
さらに、磁性体とその磁気力による固定するものが提案されている（例えば、特許文献８ないし９参照。）。この磁性体を用いるものでは磁性体により重くなる傾向があり、取り替えるための作業でサービスマンに負担がかかり、さらにマットベースおよびマット本体が割高になる問題があった。
【０００７】
さらに、粘着材を用いて固定するものが提案されている（例えば、特許文献１０ないし１３参照。）。この粘着材を用いた固定するものでは、両面テープを用いて固定するものがあるが、マット本体の交換時の作業性に問題があり、両面テープの粘着性によりマット本体の交換がし難く、また、交換毎に両面テープがマット本体およびマットベースに張りついてしまっており、両面テープを張り直さなければならない問題があった。また、未加硫のゴム材を用いて、その粘着性を利用するものもあったが、マットベースに用いた場合は玄関などのフロアを変色させてしまう問題があり、さらにマット本体にこの粘着性のある素材を用いた場合は、マット本体の洗浄および乾燥時に粘着部に埃が付着して粘着性を損なう問題があり、商品化が難しい問題がある。
【０００８】
さらに、機械的な部材により固定するものがある。この機械的な固定には固定具が必要となり、炭化の上昇および引っ掛かり部が生じることにより歩行者がつまずき易くなる問題が生じていた。
【０００９】
【特許文献１】特開平０５−７５４７号公報
【特許文献２】特開昭５７−５２４３３号公報
【特許文献３】特公昭６３−１８４９６号公報
【特許文献４】特開平０２−１２８７４４号公報
【特許文献５】実開平０６−８１４５９号公報
【特許文献６】特開昭６３−１６０６３０号公報
【特許文献７】特開２００３−２７５１６１号公報
【特許文献８】実開平０５−１２１９２号公報
【特許文献９】特開平０６−１６９８７５号公報
【特許文献１０】実開昭６１−１４９６６号公報
【特許文献１１】実開昭６３−１６０７７４号公報
【特許文献１２】実開昭６４−３３９６８号公報
【特許文献１３】実開平０３−１０６９８８号公報
【考案の開示】
【考案が解決しようとする課題】
【００１０】
レンタル用玄関マットに要求される内容としては、第一にマット上を歩行する際の歩行者の安全性を高め、レンタルである玄関マットのマット本体を交換する際のレンタル業者のサービスマンの作業の負担を軽減することと、さらにマット本体の再使用におけるマット本体の耐久性を高める必要がある。このうち、マット上を歩行する歩行者の安全性については、マット本体の表面に突起状のものや凹みじわを少なくしたマット本体が必要であり、サービスマンの作業の負担を軽減するためにはレンタルサービスであるマット本体の交換を容易に行えるものとし、さらにマット本体の重量を軽いものとする必要がある。さらに交換して再使用するマット本体としては、汚れを落とすための洗浄時や乾燥時に変形の少ないマット本体として耐久性に優れたものとする必要がある。
【００１１】
そこで、本考案が解決しようとする課題は、マット上を歩行する人に安全であり、レンタル用としてマット本体の交換時の作業性に優れ、かつ、再使用の際のマット本体のレンタル用としての使用回数の向上を図ったレンタル用玄関マットを提供することである。
【課題を解決するための手段】
【００１２】
本考案の課題を解決するための手段は、請求項１の考案では、靴その他の履物の底の泥などの汚れを除去するためのマット本体と、このマット本体を汚れたときに自在に取り替え、嵌合し得る大きさのマット本体大の凹部を上面に有するマットベースとからなるレンタル用玄関マットにおけるもので、表面に輪状のパイルを植設した基布と基布の裏面に設けた熱可塑性エラストマーもしくは弾性ゴム部材からなるバッキング材と、このバッキング材の裏面に少なくとも０．１ｍｍの深さの凹凸面とからマット本体を形成する。さらに上記の凹部を有するマットベースをゴム部材から形成する。さらにマットベースの凹部には、総面積で１５０ｃｍ2以上、マットベースの面積の１０％以下、基布裏面のバッキング材に対する垂直方向の引き剥がし力が５ｇ／ｃｍ〜５０ｇ／ｃｍで、かつ、上記のバッキング材の裏面の所定箇所に配設されて基布の振動や衝撃を吸収する粘着性弾性体を形成し、このマットベースの凹部に形成の粘着性弾性体によりマット本体をマットベースに嵌合付着していることを特徴とするレンタル用玄関マットである。
【００１３】
請求項２の考案では、バッキング材の裏面の所定箇所に配設されて基布の振動もしくは衝撃を吸収する粘着性弾性体は、硬さがショア硬さ２０〜８０で、表面の汚れによる粘着性の低下が表面の水拭きもしくは水洗いにより回復する素材であり、かつ、マットベース上面の凹部に両面接着テープもしくは粘着剤により付着されていることを特徴とする請求項１の手段のレンタル用玄関マットである。
【００１４】
請求項３の考案では、上記のレンタル用玄関マットは、マットベースに取り付けた粘着性弾性体に抗してマット本体を引き剥がす際の、引き剥がし方向を示す表示がマット本体もしくはマットベースのいずれか一方もしくは両方の目視し得る表面に付されており、かつ、マット本体とマットベースの粘着性弾性体との当接による付着部分の粘着性弾性体の幅方向の総延べ幅を２００ｍｍ未満として粘着性弾性体がマットベースに配置されていることを特徴とするレンタル用玄関マットである。
【００１５】
請求項４の考案では、上記のレンタル用玄関マットは、マット本体の形状を矩形状とし、該マット本体を嵌合付着するマットベースの凹部の形状をマット本体大の矩形状とし、該マットベースの凹部の各辺の間にマット本体とマットベースの粘着弾性体との当接による付着部分の幅方向の総延べ幅を２００ｍｍ未満とした粘着性弾性体を配設し、該矩形状の凹部に付着したマット本体をマットベースから引き剥がす際にはマット本体の矩形状の４隅のうちのいずれの１隅からも引き剥がし可能としたことを特徴とするレンタル用玄関マットである。
【００１６】
請求項５の考案では、上記のレンタル用玄関マットは、マット本体を嵌合付着するマットベースの凹部の深さをマット本体の基布およびバッキング材からなる厚さと同等以上の寸法からなる深さとしていることを特徴とするレンタル用玄関マットである。
【００１７】
請求項６の考案では、上記のレンタル用玄関マットは、マットベースの凹部外周の枠部表面が外側斜下方向へ傾斜した傾斜面に形成されており、かつ、マット本体のパイルの外周端部が傾斜を有するようにカットされていることを特徴とするレンタル用玄関マットである。
【考案の効果】
【００１８】
本考案は、レンタル用玄関マットとして上記の手段としているので、マット本体の表面に突起状のものや凹みじわが少なく、マット上の歩行者の安全が図られており、マット本体の交換が容易なようにマット本体が軽くしかもマットベースからマット本体が容易に剥がせる構造として、剥がす方向が示されており、さらに付着している粘着弾性体の付着部分の幅も一定値未満としているので、レンタルのサービスマンの作業の負担が軽減されている。また、マットベースの凹部の深さがマット本体の基布およびバッキング材からなる厚さと同等以上の寸法であるので、マット本体と靴が当接する部分は輪状のパイルの部分のみであるので靴の泥などの汚れを確実に除去でき、さらにマットベースの凹部の外周の枠部が外側斜下方向へ傾斜しかつパイルの外周部も同様に合わせて傾斜してカットされているので靴でつまずくことが防止されており、その結果、マット本体の回収および交換による再使用の際のマット本体の耐久性が向上している。さらにマット本体を交換して再使用するために、汚れを落とす際の洗浄時や乾燥時に変形しにくく、耐久性に優れた構造である。
【考案を実施するための最良の形態】
【００１９】
本考案を実施するための最良の形態について、以下に図面を参照して説明する。
先ず、請求項１の考案の実施の形態では、図１に示すように、レンタル用玄関マット１は、靴その他の履物の底の泥などの汚れを除去するためのマットであり、マットベース２とマットベース２に設けた凹部３に嵌合するマット本体４から形成されている。すなわち、靴その他の履物の底の泥などの汚れを除去するためのマット本体４と、このマット本体４が汚れたときに自在に取り替えるための嵌合用の凹部３を上面に有するマットベース２とからなるレンタル用玄関マット１で、マットベース２にマット本体４を装着した状態のレンタル用玄関マット１の全体の斜視図を図３に示す。
【００２０】
このマット本体４は、ナイロン（登録商標）からなる織物あるいは編物の地糸すなわち基布６と、この基布６の表側に設けたポリエステルやナイロンの繊維の糸でからなる輪状のパイル５と、基布６の裏側に設けたＮＢＲ（アクリル−ニトリル−ブタジエンで硬さ６０）からなるパッキング材７から形成する。このように、バッキング材７はエラストマーあるいはゴムからなるものとし、このゴムは例えば上記のＮＢＲとする。さらに、このＮＢＲからなるバッキング材７の裏面には深さ０．１ｍｍのエンボス加工を施してバッキング材７の裏面を凹凸面８に形成している。なお、このエンボス加工は、下記の試験結果に示すように、変形量の変曲点が０．０８前後より生じていることから、バッキング材７の裏面のエンボス加工の深さを０．１ｍｍとしている。
【００２１】
上記のマット本体４をマットベース２に嵌合するための凹部３を有するマットベース２はゴム部材から形成する。このマットベース２の上面側の凹部３の中には、図２に示すように、粘着性弾性体９を設けている。この粘着性弾性体９は、総面積で１５０ｃｍ2以上、マットベース２の面積の１０％以下、基布６の裏面のバッキング材７に対する垂直方向の引き剥がし力が単位長さ１ｃｍ当たり５ｇ以上で５０ｇ以下、すなわち、５ｇ／ｃｍ〜５０ｇ／ｃｍである。この粘着性弾性体９は上記のバッキング材７の裏面の所定箇所に配設され、基布６の振動や衝撃を吸収する作用をし、さらに、このマットベース２の凹部３の内部に設けている粘着性弾性体９により、マット本体４の裏面に形成の下面がエンボス状の凹凸面８となっているバッキング材７を、マットベース２の凹部３に嵌合して付着している。
【００２２】
請求項２の考案の実施の形態では、粘着性弾性体９は、硬さがショア硬さ２０〜８０で、表面の汚れによる粘着性の低下が表面の水拭きもしくは水洗いにより回復する素材であり、マットベース２の凹部３に両面接着テープもしくは粘着剤により付着されている。この粘着性弾性体９としては、磨耗度の低いウレタン系エラストマーを用いている。
【００２３】
請求項３の考案の実施の形態では、使用により汚れたマット本体４を取り替えのために、マットベース２に取り付けた粘着性弾性体９に抗して引き剥がす際の、引き剥がし方向を示す表示の矢印１１がマット本体４またはマットベース２の目視できる表面の周辺部に、例えば、図５の（ａ）ないし（ｃ）に示すように、設けられている。さらに、この実施の形態では、マット本体４とマットベース２上の粘着性弾性体９との貼り合わせ部分における、粘着性弾性体９の幅１２の総延べ幅を２００ｍｍ未満として粘着性弾性体９をマットベース２に配置している。
【００２４】
請求項４の考案の実施の形態では、マット本体４の形状を矩形状とし、このマット本体４を嵌合して付着するためのマットベース２の凹部３の形状を、マット本体４大の矩形状とする。さらに、マットベース２の凹部３の矩形状の各辺の間に、当接による付着部分の幅方向の総延べ幅を、マット本体の矩形状の４隅のうちのいずれの１隅あるいは４辺のうちの１辺からも、引き剥がし得る状態として粘着性弾性体９を設けている。すなわち、図４に示すように、マットベース２の凹部３内において、例えば、粘着性弾性体９の位置を凹部３内の周辺部の幅Ａおよび幅Ｂの部分と、凹部３内のやや中央よりの幅Ｃおよび幅Ｄの部分とするとき、粘着性弾性体９の総体的な幅１２であるＡ＋Ｂ＋Ｃ＋Ｄを２００ｍｍ以下として、マットベース２の凹部３内に粘着性弾性体９を設けている。これらの粘着弾性体９をマットベース２の矩形状の凹部３内に設ける際の粘着弾性体９の位置を、図５の（ａ）、（ｂ）、（ｃ）、（ｄ）にそれぞれ例示している。この場合、粘着弾性体９を配置した形状により引き剥がし方向を変更するので、この引き剥がし方向を示す矢印１１を上記したようにマットベース２の表面の周辺部に示し、いずれの方向から剥がし始めると効率よく容易に剥がせるかを判別できるものとしている。
【００２５】
請求項５の考案の実施の形態では、マット本体４を嵌合して付着するマットベース２の凹部３の深さを、マット本体４の基布６およびバッキング材７からなる厚さと同じとするか、それ以上の寸法とする深さとしているレンタル用玄関マット１である。すなわち、マット本体４の基布６の上面部がマットベース２の凹部３の上端の位置と同じかやや下方の位置となるものとしている。このようにマット本体４の各部材の厚さと凹部３の深さの関係とすることで、マット本体４の上を通る人の靴がマットとの当接する部分が、マット本体４の輪状のパイル５の部分のみとなり、靴の泥などの汚れがマット本体４の輪状のパイル５により確実に除去される。
【００２６】
さらに、請求項６の考案の実施の形態では、マットベース２の凹部３外周の枠部２ａの表面が外側斜下の方向へ傾斜した傾斜面に形成されており、さらに、矩形状の凹部３の４辺側と当接する部分であるマット本体４の輪状のパイル５の外周端部が傾斜面に形成されている。この結果、本考案のレンタル用玄関マット１では、輪状のパイル５の外周端部の傾斜面がマットベース２の凹部３外周の枠部２ａの傾斜面と継続するようにカットされている。
【００２７】
ところで、本考案の実施の形態における上記の粘着性弾性体９のショア硬さ３０、５０および７０の硬さからなる３種類の部材について試験をおこない、その変形量（ｍｍ）と単位荷重（ｇ／ｃｍ2）の関係をグラフとして図６に示している。
【００２８】
この試験の結果、図６に見られるように、磨耗度の低いウレタン系エラストマーからなるバッキング材７の特性として、試験の範囲の硬さにおいて、硬さに関係なく変形量の変曲点が荷重２００ｇ／ｃｍ2前後で０．０８ｍｍの変形量となり、それ以上の荷重が加えられるとほぼ直線的に変形量が増加する傾向を示している。
【００２９】
また、試験に使用した粘着性弾性体９の水平方向の引張り力について単位面積荷重５００ｇ／ｃｍ2にて評価した結果、図７の左側のグラフに示すように、マット本体４のバッキング材７の下面にエンボス加工の凹凸面８を施している方が水平方向の引張り荷重が大きくなっている。粘着性弾性体９の硬さを変化させた場合、硬さが高くなると水平方向の引張り荷重も高くなる傾向がある。この結果より硬さによる差は見られるが、ショア硬さ７０では、所定の単位面積荷重で９００ｇ／ｃｍ2前後であり、６０ｋｇの荷重がかかった場合にマット本体４のズレを生じさせない必要面積は６７ｃｍ2と計算され、また、１２０ｋｇの荷重がかかった場合では１３４ｃｍ2以上であればマット本体４のズレを生じさせないものとして十分であることが計算される。さらに、ショア硬さ３０では、所定の単位面積荷重で６００ｇ／ｃｍ2強であり、６０ｋｇの荷重で１００ｃｍ2以上、１２０ｋｇの荷重で２００ｃｍ2以上必要であることが計算される。
【００３０】
上記の粘着性弾性体９との比較として、バッキング材７であるＮＢＲのゴム硬さ６０品および両面テープ１０の水平方向の引張り力を求めたところ、図７の右側のグラフに示すように、ＮＢＲのゴム硬さ６０品のバッキング材７では水平方向の引張り力が１３００ｇ／ｃｍ2強であり、両面テープ１０では水平方向の引張り力が１０００ｇ／ｃｍ2弱の結果が得られた。
【００３１】
次に、粘着性の比較ために、下面をエンボス加工したバッキング材７の上に、所定の荷重である２５０ｇ／ｃｍ2の重りを載せ、バッキング材７のエンボスの下面に粘着性弾性体９の上面を粘着した。その後、重りを外して、その時の引き剥がし力を測定した結果、図８の左側に示すように、単位長さ１ｃｍ当たり５ｇ以上を得るためには、試験結果よりショア硬さ８０以上であり、５０ｇ／ｃｍ以下を得るためには、ショア硬さ１０前後以上であった。
【００３２】
また、ＮＢＲゴムの硬さ６０品および両面テープ１０を比較した結果、ＮＢＲゴムでは引き剥がし力は１〜３ｇ／ｃｍ程度であり、殆ど粘着性の無い結果であった。両面テープ１０では、１３０ｇ／ｃｍと高い数値となっている。これらの点より、粘着性の無いゴム部材などでは、歩行時に僅かの引掛りでマット本体４が浮いてしまうことが推察され、歩行の安全性が懸念される。また、両面テープ１０では、上記したようにマット本体４の裏面およびマットベース２に両面テープ１０が貼りついてしまうことが問題であり、マット本体４の取り替えの作業性の低下を生じさせている原因が、両面テープ１０の粘着性の高いことであることが判る。したがって、両面テープ１０の粘着性よりも低い粘着性が必要であることが理解される。以上の理由から粘着性を両面テープ１０の粘着性の半分以下にすることで、マット本体４の取り替えの作業性の改善が大幅に可能になることが言える。
【００３３】
上記の試験結果に基づき、図８の右側に示すように、１ｍｍ厚の粘着性弾性体９をマットベース２に両面テープ１０で貼り付け、その上にマット本体４を設置し、放置および歩行試験後の測定を行った結果、４隅の一角からマットを引き剥がすときの引張り荷重は４００ｇ／ｃｍ2程度の軽い荷重にて引き剥がしができ、かつ、粘着性弾性体９はマット本体４の裏面への転移が無く良好な結果となった。これは従来品である粘着材と両面テープ１０からなるものと、本考案の手段のものとの比較では、本考案のものではマット本体４への粘着材の転移も無く、また、引き剥がし荷重は低くなっており、サービスマンの作業性の向上を図ることができている。さらに、本考案の手段のものではマットに歩行によるしわも生じず良好であった。これらのことから、従来のような、マット本体４の固定用部材をマットベースに設ける必要もなく、また、マットベース２と磁力で固定するために磁性体などをエラストマー内に混入させる必要がないので、本考案の手段では軽いマットすることができ、その結果、作業性の向上およびコストの低減が図れる。
【００３４】
本考案の手段の粘着性弾性体９は未加硫のゴムもしくは熱可塑性エラストマーより選定でき、熱可塑性エラストマーはスチレン系のＳＢＣ、オレフィン系のＴＰＯ、塩ビ系のＴＰＶＣ、ウレタン系のＰＵ、エステル系のＴＰＥＥあるいはアミド系のＴＰＥＡなどがあり、これらから選ぶことができる。
【００３５】
また、上記の試験結果を踏まえて、本考案の手段の応用として、フロアと接するエラストマーからなるマットベース２を設け、その裏面においても、このエラストマーに凹凸を設けることで、マットベース２自体が水平方向に対するズレを軽減するようにできることが明らかであるといえる。なお、本考案はレンタル用玄関マットであるが、レンタルに限らず一般の住宅用の買い切り用の玄関マットとして使用できることはいうまでもない。
【図面の簡単な説明】
【００３６】
【図１】本考案のレンタル用玄関マットの構造を模式的に部分図で示す縦断面図である。
【図２】図１のレンタル用玄関マットの構造をマットベースとマット本体を分離して模式的に部分図で示す縦断面図である。
【図３】本考案のレンタル用玄関マットのマットベースとマット本体を一体化して模式的に示す斜視図である。
【図４】本考案のマット本体を一部剥がして示すレンタル用玄関マットの斜視図である。
【図５】本考案における４種類のマットベースを示す平面図である。
【図６】本考案における粘着性弾性体の単位面積の荷重と変形量の関係を示すグラフである。
【図７】本考案の粘着性弾性体の水平方向の引張り力とショア硬さ並びに粘着材および両面テープの関係を示すグラフである。
【図８】本考案の粘着性弾性体の引き剥がし力とショア硬さ並びに粘着材および両面テープの関係を示すグラフである。
【符号の説明】
【００３７】
１  レンタル用玄関マット
２  マットベース
２ａ  外周の枠部
３  凹部
３ａ  凹部の深さ
４  マット本体
５  輪状のパイル
６  基布
７  バッキング材
８  凹凸面
９  粘着性弾性体
１０  両面テープ
１１  表示の矢印
１２  粘着性弾性体の幅
【図１】
0003148823.tif 000003
【図２】
0003148823.tif 000004
【図３】
0003148823.tif 000005
【図４】
0003148823.tif 000006
【図５】
0003148823.tif 000007
【図６】
0003148823.tif 000008
【図７】
0003148823.tif 000009
【図８】
0003148823.tif 000010
【手続補正書】
【提出日】平成20年12月17日(2008.12.17)
【手続補正１】
【補正対象書類名】実用新案登録請求の範囲
【補正対象項目名】請求項３
【補正方法】変更
【補正の内容】
【請求項３】
レンタル用玄関マットは、マットベースに取り付けた粘着性弾性体に抗してマット本体を引き剥がす際の引き剥がし方向を示す表示がマット本体もしくはマットベースのいずれか一方もしくは両方の目視し得る表面に付され、かつ、マット本体とマットベースの粘着性弾性体との当接による付着部分の粘着性弾性体の幅方向の総延べ幅を２００ｍｍ未満として粘着性弾性体がマットベースに配置されていることを特徴とする請求項２に記載のレンタル用玄関マット。
【手続補正２】
【補正対象書類名】実用新案登録請求の範囲
【補正対象項目名】請求項４
【補正方法】変更
【補正の内容】
【請求項４】
レンタル用玄関マットは、マット本体の形状を矩形状とし、該マット本体を嵌合付着するマットベースの凹部の形状をマット本体大の矩形状とし、該マットベースの凹部の各辺の間にマット本体とマットベースの粘着弾性体との当接による付着部分の幅方向の総延べ幅を２００ｍｍ未満として粘着性弾性体を配設し、該矩形状の凹部に付着したマット本体をマットベースから引き剥がす際にマット本体の矩形状の４隅のうちのいずれかの１隅から引き剥がし可能としたことを特徴とする請求項３に記載のレンタル用玄関マット。
【手続補正３】
【補正対象書類名】実用新案登録請求の範囲
【補正対象項目名】請求項５
【補正方法】変更
【補正の内容】
【請求項５】
レンタル用玄関マットは、マット本体を嵌合付着するマットベースの凹部の深さをマット本体の基布およびパッキング材からなる厚さと同等以上の寸法からなる深さとしていることを特徴とする請求項４に記載のレンタル用玄関マット。
【手続補正４】
【補正対象書類名】実用新案登録請求の範囲
【補正対象項目名】請求項６
【補正方法】変更
【補正の内容】
【請求項６】
レンタル用玄関マットは、マットベースの凹部外周の枠部表面が外側斜下方向へ傾斜した傾斜面に形成されており、かつ、マット本体のパイルの外周端部が傾斜を有するようにカットされていることを特徴とする請求項５に記載のレンタル用玄関マット。